(57)【要約】【課題】加工や貼り合せの技術を必要最小限として、部品点数が少なく、容易に作製できるとともに、デザイン性と機能性を両立した靴べらを提供する【解決手段】靴べら１は、帯状体を、その中央部分で折り曲げて構成したものであり、その中央部分を境にして、帯状体の一方の端部から形成された略雫形の足当て部２と、足当て部２とは反対の端部から形成された同じく略雫形の位置固定部３とを備える。また、足当て部２と、位置固定部３とは、折り曲げられ、その上部３分の１の位置で、帯状体の長手方向に２箇所で、ハトメにより貼り合せられた接合部４を備える。足当て部２と、位置固定部３との折り曲げた位置から、接合部４のうちの一つ目のハトメ４ａまでの間は、ループ部５が設けられ、ここに円環状のキーリング６が設けられている。【選択図】図１
0003154072.tif 000002
【実用新案登録請求の範囲】
【請求項１】
一枚の薄厚シート材料から、帯状に切り出された帯状体よりなる靴べらであって、
前記足当て部と、前記位置固定部とは、前記帯状体の中央部分を境にして、前記帯状体の一方の端部から形成された略雫形の足当て部と、前記足当て部とは反対の端部から形成された位置固定部と、が形成され、
前記足当て部と、前記位置固定部とは、前記前記帯状体の中央部分を境に折り合わせてなり、当該折り合わせた位置近傍に、前記足当て部と前記位置固定部とを接合した接合部と、この折り合わせた位置に形成されたループ状のキーリング接続部を備えたことを特徴とする靴べら。
【請求項２】
前記薄厚シート材料として、皮革を用いたことを特徴とする請求項１記載の靴べら。
【請求項３】
前記薄厚シート材料を構成する皮革の表面が、なめし加工されたことを特徴とする請求項２記載の靴べら。
【請求項４】
前記接合部は、ハトメにより、前記薄厚シート材料の長手方向に２箇所で接合されたことを特徴とする請求項１〜３のいずれか１項に記載の靴べら。
【考案の詳細な説明】
【技術分野】
【０００１】
本考案は、靴べらに係り、特に、キーホルダーとして携帯可能かつ容易に作製可能で、機能性とデザイン性に優れた靴べらに関する。
【背景技術】
【０００２】
従来から用いられている靴べらは、硬質の合成樹脂や木材からなり、脚の脛程度の長さを持った細長形状のものが一般的である。このような一般的な靴べらとともに、出先での靴の脱ぎ履きの際にも用いることができるよう、従来より、携帯型の靴べらが考案され、種々の工夫が施されている。
【０００３】
例えば、足の踵と靴の間に挿入して、踵部分を滑らせる足当て部と、この足当て部に対して適度な角度をつけて設けた位置固定部に、キーホルダーを取り付けた携帯用の靴べらが提案されている（特許文献１参照）。この携帯用の靴べらでは、小型に作製して、持ち運びを容易とするとともに、キーホルダー部分が、踵と靴の間に挟まれた足当て部を引き抜くための引っ張り部としての役割も果たし、携帯性と機能性とを両立している。
【０００４】
また、靴べらの足当て部分に、自在にたわむ平板状の可撓性部材を用い、この足当て部の長手方向である靴べらの挿入・引き抜き方向に、スリットを複数形成した靴べらが提案されている（特許文献２参照）。この靴べらでは、足当て部が、靴と踵の間で、踵の球面形状に合わせて変形して、靴への足の挿入をスムースにするとともに、不使用時には、平板状になることにより、携帯性を確保している。
【先行技術文献】
【特許文献】
【０００５】
【特許文献１】実開平５−４１４８１号公報
【特許文献２】特開平１０−１９２１２５号公報
【考案の概要】
【考案が解決しようとする課題】
【０００６】
ところで、上記従来の靴べらは、いずれも、金属やプラスチック、合成紙等の比較的硬質の材料を用いて形成されており、小型かつ薄型にしているがゆえに、足当て部の角部分によって使用時に靴に傷をつけてしまう可能性もあった。
【０００７】
また、平板状に形成されるため、使用時に、靴と踵との間に、挿入する量の目安がなく、小型ゆえに過度に挿入してしまい、足当て部が踵の下側に回ってしまうことで、靴べらとしての十分の機能が果たせない場合があった。
【０００８】
さらに、上記のような硬質材料を用いるため、足当て部と位置固定部とに角度変化を施したり、足当て部にスリットを設けるなど、形状に工夫を施し、機能性を高めることは可能であるが、携帯して持ち運ぶという点に着目したデザイン性までを含ませることはできなかった。また、そのような形状における工夫により、構成が多少複雑になることは避けられず、誰でも容易に製作できるようなものではなかった。
【０００９】
本考案は、上記のような従来技術の問題点を解決するために提案されたものであり、その目的は、加工や貼り合せの技術を必要最小限として、部品点数が少なく、容易に作製できるとともに、デザイン性と機能性を両立した靴べらを提供することにある。
【課題を解決するための手段】
【００１０】
上記の目的を達成するため、請求項１の考案は、一枚の薄厚シート材料から、帯状に切り出された帯状体よりなる靴べらであって、前記足当て部と、前記位置固定部とは、前記帯状体の中央部分を境にして、前記帯状体の一方の端部から形成された足当て部と、前記足当て部とは反対の端部から形成された位置固定部と、が形成され、前記足当て部と、前記位置固定部とは、前記前記帯状体の中央部分を境に折り合わせてなり、当該折り合わせた位置近傍に、前記足当て部と前記位置固定部とを接合した接合部と、この折り合わせた位置に形成されたループ状のキーリング接続部を備えたことを特徴とする。
【００１１】
以上の態様では、一枚の薄厚シート材料から帯状に切り抜き、これを折り合わせて接合することにより作製することができるので、加工や貼り合せの技術を必要最小限として、部品点数が少なく、容易に作製可能である。
【００１２】
また、靴べらを使用時に、足当て部と位置固定部とで、靴の踵部分を挟むように挿入しながら用いることで、足当て部の挿入具合が一義的に決定される。したがって、従来の一枚の板状体からなる小型の携帯用靴べらに比べて、靴と踵との間に挿入する量の目安を与えることができ、そのため、小型ゆえに過度に挿入してしまい、足当て部が踵の下側に回ってしまうことで、靴べらとしての十分な機能が果たせないという課題を解決することができる。
【００１３】
さらに、足当て部と位置固定部とを折り合わせて、その折り合わせた位置にループ状のキーリング接続部を設けることで、このキーリング接続部にキーリングを取り付けることができる。このキーリングは、使用者が靴べらを用いて足入れした後、靴と足の間から引き抜く際に引っ張る道具として用いることができるので、使用者にとって、靴べらの引き抜きが容易となる。また、キーリングの付された靴べら全体を、キーホルダーとして用いることで、携行が容易となる。
【００１４】
請求項２の考案は、請求項１の考案において、前記薄厚シート材料として、皮革を用いたことを特徴とする。
以上の態様では、薄厚シート材料として、皮革を用いた場合、皮革は、素材の形態保持性、柔軟性、弾力性等の効果を有するため、素材が適度な形態保持性を有しつつ、また柔軟性があるため、組み立て易い。皮革は、また、経年変化等により独特の風合いを醸し出すものとして、従来より親しまれているとおり、それ自体でデザイン性が高く、靴べらを装飾品の一種として携行することができる。特に、足当て部は、使用者の踵を受ける部分であるが、素材を皮革により構成した場合、足当て部が踵形状にフィットして湾曲し、踵を包むようにして、足入れをスムースに誘導することができる。さらに、金属やプラスチック、合成紙等の比較的硬質の材料を用いる場合に比べ、皮革は柔軟性が高いため、靴べらが靴に接触することにより靴を傷めてしまうような懸念がない。
【００１５】
請求項３の考案は、請求項２の考案において、前記薄厚シート材料を構成する皮革の表面が、なめし加工されたことを特徴とする。
以上の態様では、皮革表面を、なめし加工した場合、皮革表面の艶が出て、皮革表面に皮革独特の風合い醸し出すデザイン性の向上を図ることができるとともに、靴べらを使用した際の、足当て部に接する足の滑りが良くなり、靴べらとしての機能性の向上を図ることも可能となる。
【００１６】
請求項４の考案は、請求項１〜３のいずれか１項に記載の考案において、前記接合部は、ハトメにより、前記薄厚シート材料の長手方向に２箇所で接合されたことを特徴とする。
以上の態様では、一枚の薄厚シート材料から帯状に切り抜き、これを折り合わせてハトメにより接合することにより作製することができるので、加工や貼り合せの技術を必要最小限として、部品点数が少なく、容易に作製可能である。
【考案の効果】
【００１７】
本考案によれば、加工や貼り合せの技術を必要最小限として、部品点数が少なく、容易に作製できるとともに、デザイン性と機能性を両立した靴べらを提供することができる。
【図面の簡単な説明】
【００１８】
【図１】本考案の実施形態における靴べらの全体構成を示す斜視図。
【図２】本考案の実施形態における靴べらの前提となる帯状体の構成を示す図。
【図３】本考案の実施形態における靴べらの使用状態を示す模式図。
【考案を実施するための形態】
【００１９】
次に、本考案を実施するための最良の形態を、図１〜図３を参照して説明する。
【００２０】
［１．本実施形態］
［１−１．構成］
本実施形態の靴べら１は、図２に示すように、一枚の薄厚シート材料から、帯状に切り出された帯状体よりなり、これを、折り曲げて加工することにより、構成される。
【００２１】
図１に示すように、靴べら１は、図２に示した帯状体を、その中央部分で折り曲げて構成したものであり、その中央部分を境にして、帯状体の一方の端部から形成された略雫形の足当て部２と、足当て部２とは反対の端部から形成された同じく略雫形の位置固定部３とを備える。また、足当て部２と、位置固定部３とは、折り曲げられ、その上部３分の１の位置で、帯状体の長手方向に２箇所で、ハトメにより貼り合せられた接合部４を備える。
【００２２】
足当て部２と、位置固定部３との折り曲げた位置から、接合部４のうちの一つ目のハトメ４ａまでの間は、ループ部５が設けられ、ここに円環状のキーリング６が設けられている。
【００２３】
本実施形態の靴べら１において、通常の靴べらとしての機能を有する部分である足当て部２だけでなく、これとともに、位置固定部３を設けたのは、後述するように、靴べら１の使用時に靴の踵部分を、足当て部２と、位置固定部３とで挟むように、足当て部２を挿入し用いることにより、足当て部２の挿入具合が一義的に決定される、という効果による。また、帯状体を折り返して、足当て部２と位置固定部３を設けたことにより、単に足当て部２と位置固定部３とを所定の位置でハトメするだけで、ループ部５を形成することができ、キーリング６を必要最低限の加工と部品で設けることが可能となることによる。
【００２４】
ここで、この一枚の薄厚シート材料としては、皮革を用いるのが好ましい。皮革は、１枚の材料を切り出し、これを組み立てて構成するような場合には、素材の形態保持性、柔軟性、弾力性等の効果を奏するからである。すなわち、素材が適度な形態保持性を有しつつ、柔軟性があるため、組み立て易い。また、皮革は、経年変化等により独特の風合いを醸し出すものとして、従来より親しまれているとおり、それ自体でデザイン性が高く、靴べらを装飾品の一種として携行することができることによる。
【００２５】
また、一枚の薄厚シート材料を皮革により構成した場合、その表面側は、なめし加工が施される。これにより、皮革表面の艶が出て、皮革表面に皮革独特の風合い醸し出すデザイン性の向上だけでなく、靴べら１を使用した際の、足当て部２に接する足の滑りが良くなり、機能性の向上も図ることが可能となる。
【００２６】
［１−２．作用効果］
以上の構成からなる本実施形態の靴べら１は、次のようにして用いられる。使用者は、使用時に、接合部４から、キーリング６辺りを手に持ち、図３に示すように、靴の踵部分を、足当て部２と、位置固定部３とで挟むように、足当て部２を靴の内側に、位置固定部３を靴の外側に位置するように、靴べら１を挿入する。
【００２７】
その後、使用者は、足先を靴に挿入し、足当て部２に足の踵を当接し、足当て部２表面に足を滑らせて、足入れを行なう。足入れ後、使用者は、接合部４から、キーリング６辺りを手に靴べら１を引っ張り上げることにより、靴べら１を引き抜く。このとき、キーリング６を持って引っ張ると、より引き抜き易い。
【００２８】
以上のような本実施形態の靴べら１によれば、一枚の薄厚シート材料から帯状に切り抜き、これを折り合わせてハトメにより接合することにより作製することができるので、加工や貼り合せの技術を必要最小限として、部品点数が少なく、容易に作製可能である。
【００２９】
また、足当て部２と位置固定部３とを折り合わせて、その折り合わせた位置にループ部５を設けることで、このループ部５にキーリング６を取り付けることができる。このキーリング６は、使用者が靴べら１を用いて足入れした後、靴と足の間から引き抜く際に引っ張る道具として用いることができるので、使用者にとって、靴べら１の引き抜きが容易となる。また、キーリング６の付された靴べら１全体を、キーホルダーとして用いることで、携行が容易となる。
【００３０】
さらに、靴べら１を使用時には、足当て部２と位置固定部３とで、靴の踵部分を挟むように挿入しながら用いることで、足当て部２の挿入具合が一義的に決定される。したがって、従来の一枚の板状体からなる小型の携帯用靴べらに比べて、靴と踵との間に挿入する量の目安を与えることができ、そのため、小型ゆえに過度に挿入してしまい、足当て部が踵の下側に回ってしまうことで、靴べらとしての十分の機能が果たせないという課題を解決することができる。
【００３１】
また、靴べら１を構成する薄厚のシート材料として皮革を用いることで、次のような効果を奏する。すなわち、皮革は、素材が適度な形態保持性を有しつつ、柔軟性があるため、組み立て易く、経年変化等により独特の風合いを醸し出すため、それ自体でデザイン性が高く、機能性とデザイン性の両立が可能である。
【００３２】
特に、足当て部２は、使用者の踵を受ける部分であるが、素材を皮革により構成した場合、足当て部２が踵形状にフィットして湾曲し、踵を包むようにして、足入れを誘導することができる。また、皮革表面を、なめし加工した場合、皮革表面の艶が出て、皮革表面に皮革独特の風合い醸し出すデザイン性の向上を図ることができるとともに、靴べら１を使用した際の、足当て部２に接する足の滑りが良くなり、靴べら１としての機能性の向上も図ることが可能となる。さらに、金属やプラスチック、合成紙等の比較的硬質の材料を用いる場合に比べ、皮革は柔軟性が高いため、靴べら１が靴に接触することにより靴を傷めてしまうような懸念がない。
【００３３】
以上のような本実施形態の靴べら１によれば、加工や貼り合せの技術を必要最小限として、部品点数が少なく、容易に作製できるとともに、デザイン性と機能性を両立した靴べらを提供することが可能となる。
【００３４】
［２．他の実施形態］
本考案は、上記の実施形態に開示した構成に限定されるものでなく、例えば、以下の態様も包含するものである。例えば、上記実施形態では、足当て部２と位置固定部３の形状を略雫形としているが、本考案は、このような形状に限定されず、足当て部２は、従来また今後、靴べらの足当て部の形状として一般的に存在する形状であれば、どのような形状によっても構成可能であるし、位置固定部３は、足当て部２と位置固定部３との間の接合部で、靴への靴べらの挿入量の目安を提供するという作用が確保される限りにおいて、三角形状ほか多角形状で形成することも、円形等により形成することも可能である。
【００３５】
また、足当て部２と位置固定部３とを接合する接合部４を、長手方向に２つ設けたハトメにより構成したが、本考案は、このような実施態様に限定されるものではなく、例えば、ボタンやマグネット等、公知の固定手段は如何なるものも採用可能である。また、接合部４を設ける方向、配置位置等も、足当て部２と位置固定部３との間の接合部で、靴への靴べらの挿入量の目安を提供するという作用が確保される限りにおいて、適宜変更可能である。
【００３６】
また、本実施形態におけるキーリング６の形状や構成は、一例を示すものに過ぎず、ループ部５に設ける何らかの接続手段であって、靴べら１全体として、キーホルダーを形成するような手段であれば如何なる部材も採用可能である。
【符号の説明】
【００３７】
１…靴べら
２…足当て部
３…位置固定部
４…接合部
４ａ…ハトメ
５…ループ部
６…キーリング
【図１】
0003154072.tif 000003
【図２】
0003154072.tif 000004
【図３】
0003154072.tif 000005
【手続補正書】
【提出日】平成21年7月27日(2009.7.27)
【手続補正１】
【補正対象書類名】実用新案登録請求の範囲
【補正対象項目名】請求項１
【補正方法】変更
【補正の内容】
【請求項１】
一枚の薄厚シート材料から、帯状に切り出された帯状体よりなる靴べらであって、
前記帯状体の一方の端部から形成された略雫形の足当て部と、前記帯状体の前記足当て部とは反対の端部から形成された位置固定部とが、前記帯状体の中央部分を境にして形成され、
前記足当て部と、前記位置固定部とは、前記帯状体の中央部分を境に折り合わせてなり、当該折り合わせた位置近傍に、前記足当て部と前記位置固定部とを接合した接合部と、この折り合わせた位置に形成されたループ状のキーリング接続部を備えたことを特徴とする靴べら。
【手続補正２】
【補正対象書類名】明細書
【補正対象項目名】００１０
【補正方法】変更
【補正の内容】
【００１０】
上記の目的を達成するため、請求項１の考案は、一枚の薄厚シート材料から、帯状に切り出された帯状体よりなる靴べらであって、前記帯状体の一方の端部から形成された略雫形の足当て部と、前記帯状体の前記足当て部とは反対の端部から形成された位置固定部とが、前記帯状体の中央部分を境にして形成され、前記足当て部と、前記位置固定部とは、前記帯状体の中央部分を境に折り合わせてなり、当該折り合わせた位置近傍に、前記足当て部と前記位置固定部とを接合した接合部と、この折り合わせた位置に形成されたループ状のキーリング接続部を備えたことを特徴とする。